(57)【要約】【課題】グリーンフォークを被掛物に掛けるグリーンフォークホルダを提供する。【解決手段】  グリーンフォーク１と衣類の間に配される汚れ防止部材２と、それらをＺ軸方向に対向して留める基端及びリール紐５ｂの一端が固定される先端を有する係止部材４と、リール紐５ｂを他端側から巻き取る巻具、この巻具を収容する筐体、及びこの筐体の裏面に設けられたクリップ５ｃを有する巻取リール５と、からグリーンフォークホルダ１０を構成する。係止部材４の断面とリール紐５ｂが出入りする筐体の開口５ａとがＺ軸方向の一側と他側とで非対称な同形状を有することから、巻具によりリール紐５ｂが巻き取られる際に、係止部材４は開口５ａの縁にそれらの形状により一意に定まる方向を向いて係止される。それにより、衣類等に掛かるクリップ５ｃに対して汚れ防止部材２を内側に、これを挟んでグリーンフォーク１を外側に吊り下げることができる。【選択図】図１
2015213591.tif 000002
【特許請求の範囲】
【請求項１】
グリーンフォークを被掛物に掛けるグリーンフォークホルダであって、
グリーンフォークと衣類の間に配される汚れ防止部材と、
前記グリーンフォーク及び前記汚れ防止部材を第１方向に対向して留める基端と、紐部材の一端が固定される先端と、を有する係止部材と、
前記紐部材を他端側から巻き取る巻具と、該巻具を収容する、前記紐部材が出入りする開口が設けられた筐体と、前記第１方向に関して前記グリーンフォークから前記汚れ防止部材を向く方向に対応する前記筐体の一面に設けられた、前記被掛物に掛かる掛止具と、を有するリールと、を備え、
前記係止部材の前記先端の断面は前記開口より小さく且つ前記基端の断面は前記開口より大きく、前記係止部材の断面及び前記開口は同形状を有し、該形状は３６０度未満の回転によって非回転形状と一致するものではないものである、ことを特徴とするグリーンフォークホルダ。
【請求項２】
前記係止部材は、少なくとも１辺の長さが異なる三角形状の断面を有する錐状又は錐台状の部材であることを特徴とする、請求項１に記載のグリーンフォークホルダ。
【請求項３】
前記係止部材は、前記グリーンフォーク及び前記汚れ防止部材を前記第１方向に対向して吊下げる吊下げ具を有することを特徴とする、請求項１又は２に記載のグリーンフォークホルダ。
【請求項４】
前記汚れ防止部材は、前記グリーンフォークの少なくとも先端に接する形状及び大きさを有することを特徴とする、請求項１〜３のいずれか一項に記載のグリーンフォークホルダ。
【請求項５】
前記グリーンフォークをさらに備える、請求項１〜４のいずれか一項に記載のグリーンフォークホルダ。
【発明の詳細な説明】
【技術分野】
【０００１】
本発明は、グリーンフォークを被掛物に掛けるグリーンフォークホルダに関する。
【背景技術】
【０００２】
ゴルフの競技中、プレーヤは、ボールマーク（ゴルフボールが落下することでグリーン上に生じる凹み）を直すために用いるグリーンフォークを携帯する。ここで、グリーンフォークを携帯するためにプレーヤの衣服又は所有物（衣類等と呼ぶ）のポケットに入れることで、グリーンフォークに付着した土等が衣服等に付着して汚れるという問題がある。また、グリーンフォークがポケットから落ちて紛失するという問題もある。
【０００３】
これに対して、特許文献１には、グリーンフォークに紐をつなげ、それを巻具を用いて自動で巻き取る構成を採用し、その巻具を収容する筐体とグリーンフォークを収納するカバーとを一体的に成形し、筐体の一面にベルト等の衣服に掛止する掛止部材を設けたグリーンフォークホルダが開示されている。これにより、上述の問題は解消する。しかし、筐体とカバーとが一体的に成形されていることから、グリーンフォークホルダを衣服に掛止して携帯すると、１０ｃｍ程度の長さとなるカバーが身体に干渉して異物感があり、競技（ゴルフクラブのスイング）に支障が生じるという別の問題が発生する。
【先行技術文献】
【特許文献】
【０００４】
【特許文献１】実用新案登録第３１６３８４５号公報
【発明の概要】
【発明が解決しようとする課題】
【０００５】
本発明は、グリーンフォークを被掛物に掛けるグリーンフォークホルダを提供することを課題とする。
【課題を解決するための手段】
【０００６】
本発明は、グリーンフォークを被掛物に掛けるグリーンフォークホルダであって、グリーンフォークと衣類の間に配される汚れ防止部材と、グリーンフォーク及び汚れ防止部材を第１方向に対向して留める基端と、紐部材の一端が固定される先端と、を有する係止部材と、紐部材を他端側から巻き取る巻具と、この巻具を収容する、紐部材が出入りする開口が設けられた筐体と、第１方向に関してグリーンフォークから汚れ防止部材を向く方向に対応する筐体の一面に設けられた、被掛物に掛かる掛止具と、を有するリールと、を備え、係止部材の先端の断面は開口より小さく且つ基端の断面は開口より大きく、係止部材の断面及び開口は同形状を有し、該形状は３６０度未満の回転によって非回転形状と一致するものではないものである、ことを特徴とする。
【０００７】
ここで、被掛物とは、グリーンフォークを携帯するプレーヤの衣類又は所有物（衣類等と呼ぶ）を意味するものとする。
また、３６０度未満の回転によって非回転形状と一致するものではないとは、９０度の回転によって非回転形状と一致する正方形、１８０度の回転によって非回転形状と一致する長方形、その他の１回転せずに非回転形状と一致する形状を除外するものとする。
【０００８】
これによれば、係止部材の先端の断面は開口より小さく且つ基端の断面は開口より大きいことから、リールが有する巻具により紐部材が巻き取られることにより係止部材が開口の縁に係止され、係止部材の断面及び開口の形状が３６０度未満の回転によって非回転形状と一致するものではないことから、係止部材は開口の縁にそれらの形状により一意に定まる方向を向いて係止される。それにより、衣類等に掛かる掛止具に対して汚れ防止部材を内側に、これを挟んでグリーンフォークを外側に留めることができる。
【０００９】
本発明のグリーンフォークホルダは、係止部材は、少なくとも１辺の長さが異なる三角形状の断面を有する錐状又は錐台状の部材であることを特徴とする。
【００１０】
これによれば、係止部材を簡易に成形することが可能となる。
【００１１】
本発明のグリーンフォークホルダは、係止部材は、グリーンフォーク及び汚れ防止部材を第１方向に対向して吊下げる吊下げ具を有することを特徴とする。
【００１２】
これによれば、吊下げ具により、グリーンフォーク及び汚れ防止部材を第１方向に対向して係止部材に吊り下げることができる。
【００１３】
本発明のグリーンフォークホルダは、汚れ防止部材は、グリーンフォークの少なくとも先端に接する形状及び大きさを有することを特徴とする。
【００１４】
これによれば、掛止具を用いてグリーンフォークホルダを衣類等に掛けた場合に、汚れ防止部材により、グリーンフォークの先端が衣類等に接触するのを防ぐことができる。
【００１５】
本発明のグリーンフォークホルダは、グリーンフォークをさらに備える。
【発明の効果】
【００１６】
本発明のグリーンフォークホルダによれば、掛止具を用いて衣類等に掛けることで、汚れ防止部材を挟んでグリーンフォークを外側に吊り下げて携帯することが可能となる。
【図面の簡単な説明】
【００１７】
【図１】図１（Ａ）及び（Ｂ）は、本実施形態のグリーンフォークホルダの構成を示す図（それぞれ正面図及び側面図）である。
【図２】図２（Ａ）〜（Ｃ）は係止部材の構成を示す図（それぞれ上面図、側面図、及び底面図）、図２（Ｄ）は開口の形状を示す図である。
【図３】図３（Ａ）及び（Ｂ）は、使用状態にあるグリーンフォークホルダを示す図（それぞれ正面図及び側面図）である。
【発明を実施するための形態】
【００１８】
以下、本発明の一実施形態に係るグリーンフォークホルダ１０について説明する。
【００１９】
図１（Ａ）の正面図及び（Ｂ）の側面図に、グリーンフォークホルダ１０の構成を示す。グリーンフォークホルダ１０は、グリーンフォーク１、汚れ防止部材２、吊下げ具３、係止部材４、及び巻取リール５から構成される。
【００２０】
グリーンフォーク１は、一例としてステンレス製の板状部材であり、二股状の先端部と、半円状の基端部と、先端部及び基端部をＹ軸方向に連接する胴部と、を有する。先端部は、二股状に限らず、Ｙ軸方向に延びる３以上の板状部材（又は棒状部材）がＸ軸方向に並ぶフォーク形状でもよい。基端部に、円形状の孔部１ａが形成されている。胴部は、例えば、第二指（さらに第三指）を用いて下面を支持して、第一指を用いて上面を押圧することで握持できる大きさとする。
【００２１】
汚れ防止部材２は、一例として樹脂製の板体であり、グリーンフォーク１の裏面全体を覆う一面を有する。一面はグリーンフォーク１に対してＹ軸方向に若干長く且つＸ軸方向について若干幅太である。なお、この一面の±Ｘ側部から＋Ｚ側に立設してグリーンフォーク１の先端部及び胴部の±Ｘ側を覆う側面２ｂを有するカバー体としてもよい。この場合、側面２ｂの幅は、グリーンフォーク１の厚みより十分大きい。
【００２２】
一面の基端には、円形状の孔部２ａが形成されている。ここで、孔部２ａは、孔部１ａに対して、基端（＋Ｙ端）を基準に同じ位置に同じ形状（同じ大きさ）で設けられている。従って、汚れ防止部材２をグリーンフォーク１に（一面を対向して）重ね、汚れ防止部材２のＸ軸方向に関する中心及び基端（＋Ｙ端）をそれぞれグリーンフォーク１の中心及び基端に揃えると、汚れ防止部材２の孔部２ａはグリーンフォーク１の孔部１ａに連通する。
【００２３】
吊下げ具３は、一例として金属製のリングであり、グリーンフォーク１と汚れ防止部材２とを重ねて連通する孔部１ａ，２ａに通されている。吊下げ具３は、後述する係止部材４の固定具４ａにも通されている。それにより、グリーンフォーク１と汚れ防止部材２とが、係止部材４（基端）に一意に定められた方向（Ｚ軸方向）の一側（＋Ｚ側）及び他側（−Ｚ側）に留められる。
【００２４】
係止部材４は、一例として樹脂製の錐台状部材であり、先端（錐台の上面）にリール紐５ｂ（図３参照）の一端が固定され、基端（錐台の底面）に半円状（アーチ状）の固定具４ａをＸＹ面に平行にしてその端部が埋設されている（図２（Ｂ）及び（Ｃ）参照）。吊下げ具３及び固定具４ａの形状により、グリーンフォーク１及び汚れ防止部材２は、係止部材４から固定具４ａと平行な向き（係止部材４に対して一意に定まる向き）に重なって鉛直方向に吊り下がる。
【００２５】
なお、吊下げ具３及び固定具４ａの形状は、リング状及び半円状に限らず、グリーンフォーク１及び汚れ防止部材２が一定の向きに重なって係止部材４から鉛直方向に吊り下がるのであれば、任意の形状でよい。
【００２６】
図２（Ａ）〜（Ｃ）に、係止部材４の立体形状を示す。係止部材４は、一例として二等辺三角形状の断面を有する錐台である。上面は長さｗの底辺と長さｄの２つの斜辺とからなる二等辺三角形状を有し、底面は長さＷの底辺と長さＤの２つの斜辺とからなる二等辺三角形状を有し、上面に対して底面が大きい（すなわちＷ＞ｗ，Ｄ＞ｄ）。
【００２７】
なお、先端が基端に対して細く（面積が小さく）、先端（上面）にリール紐５ｂを固定し、基端（底面）に固定具４ａを固定することができれば、係止部材４は錐台に限らず錐形状に成形してもよい。錐又は錐台であれば、係止部材４を簡易に成形することができる。
【００２８】
巻取リール５は、リール紐５ｂ（図３参照）を他端側から巻き取る巻具（不図示）と、この巻具を収容する円盤状の筐体と、を有する。リール紐５ｂは、一例として金属製のチェーンとする。巻具は、リール紐５ｂを引き込むぜんまいバネ等の付勢部材（不図示）を有する。筐体の側面にはリール紐５ｂが出入りする開口５ａが、筐体の−Ｚ面には被掛物（ズボン、ベルト等の衣類の上端）１２に掛かるクリップ５ｃが、それぞれ設けられている。
【００２９】
図２（Ｄ）に、開口５ａの形状を示す。開口５ａは、係止部材４の断面形状と同じ二等辺三角形状を有し、その底辺（長さＷ’）は係止部材４の上面の底辺より長く（Ｗ’＞ｗ）且つ底面の底辺より短く（Ｗ’＜Ｗ）、その斜辺（長さＤ’）は係止部材４の上面の斜辺より長く（Ｄ’＞ｄ）且つ底面の斜辺より短い（Ｄ’＜Ｄ）。すなわち、係止部材４の上面（先端の断面）は開口５ａより小さく且つ底面（基端の断面）は開口５ａより大きい。それにより、巻具（不図示）によりリール紐５ｂが巻き取られることにより、図２（Ｂ）に示すように、係止部材４が開口５ａの縁に係止される。
【００３０】
係止部材４の断面及び開口５ａは、Ｚ軸方向（或いはＺ軸方向とＸＺ面内においてＺ軸方向に交際する方向と少なくとも一方）の一側（＋Ｚ側）と他側（−Ｚ側）とで非対称であり、同じ形状を有する。それにより、係止部材４は開口５ａの縁にそれらの形状により一意に定まる方向を向いて係止される。つまり、クリップ５ｃに対して汚れ防止部材２を内側に、これを挟んでグリーンフォーク１を外側に留めることができる。
【００３１】
グリーンフォークホルダ１０の使用方法を説明する。
【００３２】
図３に、使用状態にあるグリーンフォークホルダ１０を示す。クリップ５ｃを用いて、巻取リール５の筐体の裏面との間にプレーヤが身に付けているベルト１２を挟む。それにより、巻取リール５がベルト１２に掛止される。グリーンフォーク１を使用する際には、汚れ防止部材２から離して、手指を用いてグリーンフォーク１を握持し、下方（−Ｙ方向）に引く。それにより、リール紐５ｂが筐体から繰出され、グリーンフォーク１を身体から離すことができる。この状態において、グリーンフォーク１を使用する。
【００３３】
使用した後、手指からグリーンフォーク１を放す。それにより、リール紐５ｂが付勢部材（不図示）により筐体内の巻具に巻き取られる。このとき、リール紐５ｂが引き込まれる開口５ａの縁に係止部材４の先端が係止されることで、リール紐５ｂの巻き取りが止まる。それと同時に、係止部材４の断面及び開口５ａの形状により、係止部材４は開口５ａの縁にそれらの形状により一意に定まる方向を向いて係止される。それにより、クリップ５ｃ（が留められるベルト１２）に対して汚れ防止部材２が内側に、これを挟んでグリーンフォーク１が外側に、吊り下がる。
【００３４】
以上詳細に説明したように、本実施形態に係るグリーンフォークホルダ１０は、グリーンフォーク１と衣類の間に配される汚れ防止部材２と、グリーンフォーク１及び汚れ防止部材２をＺ軸方向に対向して留める基端と、リール紐５ｂの一端が固定される先端と、を有する係止部材４と、リール紐５ｂを他端側から巻き取る巻具（不図示）と、この巻具を収容する、リール紐５ｂが出入りする開口５ａが設けられた筐体と、この筐体の裏面に設けられた、被掛物（ベルト１２）に掛かるクリップ５ｃと、を有する巻取リール５と、から構成される。ここで、係止部材４の先端の断面は開口５ａより小さく且つ基端の断面は開口５ａより大きいことから、巻取リール５が有する巻具によりリール紐５ｂが巻き取られることにより係止部材４が開口５ａの縁に係止され、係止部材４の断面及び開口５ａがＺ軸方向の一側（＋Ｚ側）と他側（−Ｚ側）とで非対称な同形状を有することから、係止部材４は開口５ａの縁にそれらの形状により一意に定まる方向を向いて係止される。それにより、衣類等に掛かるクリップ５ｃに対して汚れ防止部材２を内側に、これを挟んでグリーンフォーク１を外側に吊り下げることができる。
【００３５】
また、グリーンフォークホルダ１０によれば、クリップ５ｃを用いてグリーンフォークホルダ１０を衣類等に掛けた場合に、汚れ防止部材２により、グリーンフォーク１の先端が衣類等に接触するのを防ぐことができる。ここで、汚れ防止部材２は巻取リール５の筐体に固定されていないため、グリーンフォークホルダ１０を衣類等に掛止して携帯しても、カバーが身体に干渉して異物感があることや、競技（ゴルフクラブのスイング）に支障が生じることがない。
【００３６】
なお、本実施形態のグリーンフォークホルダ１０では、係止部材４の断面及び開口５ａの形状として二等辺三角形を採用したが、これに限らず、係止部材４が開口５ａの縁にそれらの形状により一意に定まる方向を向いて係止されるのであれば任意の形状を採用することができる。例えば等脚台形、たまご形等を採用することもできる。
【００３７】
また、本実施形態のグリーンフォークホルダ１０では、グリーンフォーク１と汚れ防止部材２とを吊下げ具３を用いて係止部材４に留めることとしたが、さらに土等の汚れを払うブラシを留めてもよい。
【産業上の利用可能性】
【００３８】
本発明のグリーンフォークホルダは、グリーンフォークを携帯するのに好適である。
【符号の説明】
【００３９】
１    グリーンフォーク
１ａ  孔部
２    汚れ防止部材
２ａ  孔部
２ｂ  側面
３    吊下げ具
４    係止部材
４ａ  固定具
５    巻取リール
５ａ  開口
５ｂ  リール紐
５ｃ  クリップ
１０    グリーンフォークホルダ
１２    ベルト
【図１】
2015213591.tif 000003
【図２】
2015213591.tif 000004
【図３】
2015213591.tif 000005